(57)【要約】【課題】電子機器の受電用電源端子と電池パックの電池電源端子との接触部位の位置関係がずれることによる瞬断の発生を防止し、かつ、ゴミ等の異物の侵入を回避する。【解決手段】電子機器本体に装着される電池２００の電源端子から受電する電子機器の受電用電源端子構造であって、電池電源端子２１０を備えた電池２の装着時、電池電源端子部２１０の複数の接触面、もしくは複数の接点に弾性接触して成るそれぞれ複数の受電用電源端子１１０１、１１０２を備えている。【選択図】図３
2008085739.tif 000002
【特許請求の範囲】
【請求項１】
電子機器本体に装着される電池の電源端子から受電する電子機器の受電用電源端子構造であって、
電池電源端子を備えた前記電池の装着時、前記電池電源端子の複数の接触面もしくは複数の接点に弾性接触して成るそれぞれ複数の受電用電源端子を備えた
ことを特徴とする電子機器の受電用電源端子構造。
【請求項２】
前記受電用電源端子は、
第１の受電用電源端子と、第２の受電用電源端子とから成り、前記電池の装着時における電池電源端子との間の接触において、前記第１の受電用電源端子と第２の受電用電源端子とでは異なる弾性力により接触させて成る
ことを特徴とする請求項１記載の電子機器の受電用電源端子構造。
【請求項３】
前記第１の受電用電源端子と第２の受電用電源端子とを同心円状に形成して成る
ことを特徴とする請求項２記載の電子機器の受電用電源端子構造。
【請求項４】
前記電池の装着時、前記接触面を有する電池電源端子を前記受電用電源端子で覆う構造を持つ
ことを特徴とする請求項１記載の電子機器の受電用電源端子構造。
【請求項５】
複数の受電用電源端子を備えた携帯端末装置本体と、
前記複数の受電用電源端子が、それぞれ複数の接触面もしく複数の接点に弾性接触して成る電池電源端子を備えた電池パックと、
を備えたことを特徴とする携帯端末装置。
【発明の詳細な説明】
【技術分野】
【０００１】
本発明は、携帯電話機等の電子機器の受電用電源端子構造および携帯端末装置に関するものである。
【背景技術】
【０００２】
図１０および図１１は、従来例における電子機器の受電用電源端子構造を断面図で示したものである。
【０００３】
図１０に示されるように、従来、電子機器本体、例えば、携帯電話機等の携帯端末装置本体に電力を供給する電池２は、不図示の携帯端末装置本体に備え付けの受電用電源端子１１に、バネ１２等の弾力により電池２の電源端子２１を接触させることで通電を行なっている。
【０００４】
また、図１１に示されるように、落下等の衝撃により、電池２の電源端子２１と、携帯端末装置本体の受電用電源端子１１との接触が瞬間的に離れ、あるいは、接触部位の位置関係がずれる。
この場合、携帯端末装置本体の受電用電源端子１１が、電池２の電源端子２１にこびりついたゴミ等の異物（図中、○印）に乗り上げてしまうことがあり、結果的に瞬断が発生する恐れもある。
【０００５】
一方、受電用電源端子の接触片をＬ字に形成して受電用電源端子のケースに半収納し、電池パックの電源端子と接触片とを１点接触させることで、電池パックの着脱を繰り返しても接触片と電池パックの電池電源端子との接触が維持できる構造が知られている。
このような電池の電源端子構造によれば、電池を装着する際、電池電源端子が接触片を擦ることでゴミや汚れ等の付着を除去することができる（例えば、特許文献１参照）。
【特許文献１】特開平９−５５７８５号公報
【発明の開示】
【発明が解決しようとする課題】
【０００６】
しかしながら、上記した特許文献１に開示された技術によれば、ゴミや汚れの付着は除去できても、携帯端末装置を落下する等、不測の事態に衝撃が発生した場合に想定される接触片の振動、あるいは電池パック自体の離隔による瞬断に対応できるものではない。
すなわち、従来、電池パックの電池電源端子と接触片とを１点接触させているため、落下等の衝撃により瞬断が発生する可能性が高く、また、ゴミ等の異物に関しては付着を取り除くことはできても、ゴミ等の異物の侵入を回避するものではない。
【０００７】
本発明は上記した課題を解決するためになされたものであり、携帯端末装置等の電子機器の受電用電源端子と電池パックの電池電源端子との接触部位の位置関係がずれることによる瞬断の発生を防止し、かつ、ゴミ等の異物の侵入を回避した、電子機器の受電用電源端子構造および携帯端末装置を提供することを目的とする。
【課題を解決するための手段】
【０００８】
本発明の第１の観点係る電池の電源端子から受電する電子機器の受電用電源端子構造は、電子機器本体に装着される電子機器の受電用電源端子構造であって、電池電源端子を備えた電池の装着時、電池電源端子の複数の接触面、もしくは複数の接点に弾性接触して成るそれぞれ複数の受電用電源端子を備えたものである。
【０００９】
好適には、前記受電用電源端子は、第１の受電用電源端子と、第２の受電用電源端子とから成り、前記電池の装着時における電池電源端子との間の接触において、前記第１の受電用電源端子と第２の受電用電源端子とでは異なる弾性力により接触させて成る。
【００１０】
好適には、前記第１の受電用電源端子と第２の受電用電源端子とを同心円状に形成して成る。
【００１１】
好適には、前記電池の装着時、前記接触面を有する電池電源端子を前記受電用電源端子で覆う構造を持つ。
【００１２】
本発明の第２の観点に係る携帯端末装置は、複数の受電用電源端子を備えた携帯端末装置本体と、複数の受電用電源端子が、それぞれ複数の接触面もしく複数の接点に弾性接触して成る電池電源端子を備えた電池パックと、を備えたものである。
【発明の効果】
【００１３】
本発明によれば、携帯端末装置等の電子機器の受電用電源端子と電池パックの電池電源端子との接触部位の位置関係がずれることによる瞬断の発生を防止し、かつ、ゴミ等の異物の侵入を回避することができる。
【発明を実施するための最良の形態】
【００１４】
以下、本発明の実施形態を図面に関連付けて説明する。
【００１５】
図１（ａ）は、本発明の実施形態に係る電子機器としての携帯端末装置（携帯電話機）１００の開状態を背面側から見た外観の斜視図であり、図１（ｂ）は、携帯端末装置（携帯電話機）１００の背面側に収納される電池パックの外観を示す図である。
また、図２は、本実施形態に係る電池パックの電源端子部を示す図である。
【００１６】
図１（ａ），（ｂ）において、１００が携帯電話機を、２００が電池パックをそれぞれ示しており、図１（ａ），（ｂ）は図示しない電池ふたと電池パック２００を携帯電話機１００から外した状態を示している。
【００１７】
携帯端末装置１００は、いわゆる折り畳み式の携帯電話機として構成されており、開状態と閉状態との間で互いに回動可能に開閉機構部（連結部）１０１により連結された表示側筐体（受話筐体）１０２およびキー側筐体（送話筐体）１０３を備えている。
受話筐体１０２および送話筐体１０３は、それぞれの端部が回動の中心となる開閉機構部（連結部）１０１により連結されることにより携帯端末装置（携帯電話機）１００全体の筐体を構成するようになっている。
受話筐体１０２および送話筐体１０３は、それぞれ概ね薄型直方体に形成されており、閉状態では互いに重ね合わされ、一方の筐体側から他方の筐体側を見たときに互いの輪郭が略一致するようになっている。
【００１８】
開閉機構部（連結部）１０１は、受話筐体１０２の短手方向の両端に設けられており、第２の筐体としての受話筐体１０２と第１の筐体としての送話筐体１０３とを開状態と閉状態との間で互いに回動可能に連結している。
【００１９】
受話筐体１０２の図示しない正面側には、通話用のスピーカの放音孔が開口している。
受話筐体１０２には、図示しない正面側に画像や文字を表示するメイン表示部が形成され、背面側１０２ａに画像や文字を表示するサブ表示部１０４が形成されている。
メイン表示部およびサブ表示部１０４は、たとえば液晶表示装置や有機ＥＬ表示装置などの表示装置により構成されている。なお、サブ表示部１０４は、透光性のパネルにより被覆されて保護されている。
また、受話筐体１０２には、背面側を撮像方向とする撮像モジュール１０５が開閉機構部１０１の近傍内部に設けられている。
【００２０】
送話筐体１０３の図示しない正面側には通話用のマイクロフォンの集音孔が開口し、正面側に露出する各種キーを含む図示しない操作部が設けられている。各種キーは、たとえばテンキー、カーソルキー、ファンクションキー、決定キー等である。
【００２１】
送話筐体１０３の背面側１０３ａには、電池パック２００を着脱自在に収納可能な電池パック収納凹部１０６が形成されている。
電池パック収納凹部１０６は、たとえば薄型直方体状の電池パック２００を収納可能なような直方体状の凹部形状を有する。そして、電池パック収納凹部１０６の側壁のうち、開閉機構部１０１にもっとも近い側壁１０７に、電池パック２００の電源端子２１０から受電する受電用電源端子部１１０が設けられている。
受電用電源端子部１１０は、電池電源端子２１０を備えた電池パック２００の装着時、電池電源端子２１０の複数（本実施形態では３）の接触面、もしくは複数の接点に弾性接触して成るそれぞれ複数（本実施形態では３）の受電用電源端子１１１，１１２，１１３を備えている。
【００２２】
これに対応して、電池パック２００は、図２に示すように、電源端子２１１，２１２，２１３を有している。
以下に、受電用電源端子構造および電池電源端子構造例について説明する。
【００２３】
図３および図４は、本発明の実施形態に係る電池の電源端子から受電する電子機器の受電用電源端子構造を説明するための図である。
図３はその断面図、図４（ａ），（ｂ）は、それぞれ正面図、斜視図を示す。
【００２４】
図３において、電池（パック）２００は、図示省略した携帯端末装置本体に装着される、例えば、リチウムイオン電池であり、一端縁部に後述する受電用電源端子との接触面（図中、太線）を持つ電池電源端子２１０を備えている。
また、携帯端末装置１００に設けられた受電用電源端子部１１０の各受電用電源端子１１１〜１１３はそれぞれ、図３および図４に示すように、先端部に丸みを持つ突起状の複数の受電用電源端子１１０１、１１０２（以降、受電用電源端子１１０１を第１の受電用電源端子、受電用電源端子１１０２を第２の受電電源用端子という）を備え付けている。
【００２５】
上記のように、携帯端末装置本体に備え付けの第１の受電用電源端子１１０１と、第２の受電用電源端子１１０２を、図３に示すように、それぞれコイルバネ１１４、１１５等による弾性体のイメージ(バネ)により、接触面を持つ電池電源端子部２１０の対応する電源端子２１１〜２１３に押し付けることで、電池電源による携帯端末装置本体への通電を可能にしている。
【００２６】
上記した本発明の実施の形態によれば、電池２００の電源端子２１１〜２１３（接触面）に接触部位が複数（ここでは、第１の受電用電源端子１１０１と第２の受電用電源端子１１０２による２箇所での接触）備わることになり、その結果、従来の１点接触の場合と比較して落下等の衝撃による瞬断発生の確率を低く抑えることができる。
また、上記した複数の接触部位を異なる弾性力を持つコイルバネで支えることにより、落下等の衝撃発生時、一方の接触部位が瞬時に離れ、あるいは位置関係がずれたとしても、他方の接触部位での接触により代替が可能であり、このため、瞬断発生の確率を一層低く抑えることができる。
【００２７】
一方、上記した携帯端末装置に備え付けの第１の受電用電源端子１１０１と第２の受電用電源端子１１０２とは、図４（ａ），（ｂ）に、それぞれ正面図、斜視図が示されるように、同心円状に形成される。ここでは、第２の受電用電源端子１１０２が、第１の受電用電源端子１１１を取り囲む形状を有し、図３同様、弾性体のイメージ(バネ)により電池２００の電池電源端子２１１〜２１３に押し当てている（図示省略）。
【００２８】
このため、ゴミ等の異物が第１の受電用電源端子１１０１が接触する箇所に入り込む余地は無く、したがって、ゴミ等の異物の侵入による瞬断発生を回避できる。
【００２９】
なお、図３の例では、第１の受電用電源端子１１０１の先端部を球面状として、電池２００側の電源端子２１１〜２１３と点接触をするような構成を示して説明したが、本発明は点接触に限るものではない。
【００３０】
図５（ａ），（ｂ）は、本発明の実施形態に係る電子機器の第１の受電用電源端子構造の他の例を説明するための図である。
【００３１】
図５（ａ）の第１の受電用電源端子１１０１ａは、先端部が平面形状をなし、電池２００の電源端子２１１〜２１３と平面的に接触する構造を有している。
図５（ｂ）の第１の受電用電源端子１１０１ｂは、先端部の周縁部のみが、電池２００の電源端子２１１〜２１３と平面的に接触する構造を有している。
このような構造であっても図３の場合と同様の効果を得ることができる。
【００３２】
以上説明のように、本発明の実施の形態によれば、電池電源端子２１１〜２１３を備えた電池２００を例えば、携帯端末装置に装着する際、電池２００の電池電源端子２１１〜２１３の複数の接触面に、それぞれ弾性接触して成る受電用電源端子（第１の受電用電源端子１１０１と、第２の受電用電源端子１１０２）を備えた電子機器の受電用電源端子構造を備えることにより、落下等の衝撃があっても、電池電源端子２１１〜２１３と受電用電源端子１１０１、１１０２による接触部位の位置関係のずれによる瞬断発生の確率を減少させることができる。
【００３３】
また、複数の接触部位を異なる弾性力で押さえることにより、瞬断発生の確率を一層低く抑えることができ、更に、第１の受電用電源端子１１０１と、第２の受電用電源端子１１０２とを同心円状に形成し、あるいは接触面を有する電池電源端子２１１〜２１３を受電用電源端子１１０１、１１０２で覆う構造を採用することで、接触面へのゴミの侵入を防ぎ、瞬断発生を未然に回避できる、電子機器の受電電源端子構造、および同構造を搭載した携帯端末装置を提供することができる。
【００３４】
なお、上記した本発明の実施の形態によれば、受電用電源端子を２個用い、２点接触する構造を例示したが、受電用電源端子をｎ個（３個以上）用いることによるｎ点接触でも良く、この場合、接触部位の数は、信頼性とコストのトレードオフにより決定される。
【００３５】
図６（ａ）〜(ｄ)は、丸型受電用電源端子の構造例を示す簡略断面図である。
【００３６】
図６（ａ）は、図５（ａ）の第１の受電用電源端子１１０１ａの先端部が平面形状をなし、電池２００の電源端子２１１〜２１３と平面的に接触する構造に対応している。
【００３７】
図６（ｂ）は、第１の受電用電源端子１１０１ａの先端部が半円弧状に２つに区分けされて、電池２００の電源端子２１１〜２１３と平面的に接触する構造を示している。
【００３８】
図６（ｃ）は、図５（ｂ）の第１の受電用電源端子１１０１ａの先端部の周縁部のみが、電池２００の電源端子２１１〜２１３と平面的に接触する構造を示している。
【００３９】
図６（ｄ）は、３つの電源端子が同心円状に配置された構造を示し、図６（ａ）の第１の受電用電源端子１１０１ａの先端部が平面形状をなし、電池２００の電源端子２１１〜２１３と平面的に接触する構造に、第３の受電用電源端子１１０３を設けた場合の一例を示している。
【００４０】
図７（ａ），(ｂ)は、角型受電用電源端子の構造例を示す簡略断面図である。
【００４１】
図７(ａ)は、図５（ａ）の第１の受電用電源端子１１０１ａの先端部が平面形状をなし、電池２００の電源端子２１１〜２１３と平面的に接触する構造に対応しており、第２の受電用電源端子１１０２が角型をなしている。
【００４２】
図７(ｂ)は、図５（ａ）の第１の受電用電源端子１１０１ａの先端部が平面形状をなし、電池２００の電源端子２１１〜２１３と平面的に接触する構造に対応しており、第１および第２の受電用電源端子１１０１、１１０２が角型をなしている。
【００４３】
以上のように、受電用電源端子と丸型、角型、あるいは丸型と角型の併用した構造を採用しても上記したと同様の効果を得ることができる。
【００４４】
また、電池２００の電池電源端子２１１〜２１３は、接触面を持つ構造としたが、接触面に代わって接点を複数持つ構造としても良い。
図３の例においては、電池パック２００の電源端子部２１０（電源端子２１１〜２１３）は、底面部のみに設けた例を示したが、その底面部の電極形状としては、種々の形状が採用可能である。
【００４５】
図８（ａ），（ｂ）は、電池パック２００の電池電源端子の底面部の電極構造を示す図であって、図８（ａ）は四角形の例を示す図であり、図８（ｂ）は円形の例を示す図である。
【００４６】
図８（ａ），（ｂ）に示すように、電池電源端子の底面部の電極形状としては、四角形あるいは円形等が加工の容易さなどから好ましい形状といえる。
【００４７】
図９（ａ）〜（ｃ）は、電池パック２００の電池電源端子部の他の電極構造を示す図であって、図９（ａ）は底面部と側壁部に電極を設けた例を示し、図９（ｂ）は底面部が四角形の例を示す図であり、図９（ｃ）は底面部が円形の例を示す図である。
【００４８】
図９（ａ）〜（ｃ）に示すように、電池電源端子の底面部のみならず側壁部にも電極を設けことにより、端子の接触を確実に行うことができる。
【００４９】
更に、本発明の実施の形態では、電池２００が携帯端末装置に装着される場合を例示したが、携帯端末装置に制限されるものでなく、電子機器全般に応用が可能である。
【図面の簡単な説明】
【００５０】
【図１】（ａ）は本発明の実施形態に係る電子機器としての携帯端末装置（携帯電話機）の開状態を背面側から見た外観の斜視図であり、（ｂ）は携帯端末装置（携帯電話機）の背面側に収納される電池パックの外観を示す図である。
【図２】本実施形態に係る電池パックの電源端子部を示す図である。
【図３】本発明の実施形態に係る電子機器の受電用電源端子構造を説明するための図（断面図）である。
【図４】本発明の実施形態に係る電子機器の受電用電源端子構造を説明するための図であって、(ａ)は正面図であり、(ｂ)は斜視図である。
【図５】本発明の実施形態に係る電子機器の第１の受電用電源端子構造の他の例を説明するための図であって、（ａ）は第１の受電用電源端子の先端部が平面形状をなし、電池の電源端子と平面的に接触する構造を示す図であり、（ｂ）は第１の受電用電源端子１１０１ｂの先端部の周縁部のみが、電池の電源端子と平面的に接触する構造を示す図である。
【図６】本実施形態に係る丸型受電用電源端子の構造例を示す簡略断面図であって、（ａ）は第１の受電用電源端子の先端部が平面形状をなし、電池の電源端子と平面的に接触する構造を示す図であり、（ｂ）は第１の受電用電源端子の先端部が半円弧状に２つに区分けされて、電池の電源端子と平面的に接触する構造を示す図であり、（ｃ）は第１の受電用電源端子の先端部の周縁部のみが、電池の電源端子と平面的に接触する構造を示す図であり、（ｄ）は３つの電源端子が同心円状に配置された構造を示す図である。
【図７】本実施形態に係る角型受電用電源端子の構造例を示す簡略断面図であって、(ａ)第２の受電用電源端子が角型をなす例を示し図であり、(ｂ)は第１および第２の受電用電源端子が角型をなす例を示す図である。
【図８】本実施形態に係る電池パックの電池電源端子の底面部の電極構造を示す図であって、（ａ）は四角形の例を示す図であり、（ｂ）は円形の例を示す図である。
【図９】本実施形態に係る電池パックの電池電源端子部の他の電極構造を示す図であって、（ａ）は底面部と側壁部に電極を設けた例を示す図であり、（ｂ）は底面部が四角形の例を示す図であり、（ｃ）は底面部が円形の例を示す図である。
【図１０】従来例における電子機器の受電用電源端子構造を説明するための図である。
【図１１】従来例における電子機器の受電用電源端子構造を説明するための図である。
【符号の説明】
【００５１】
１００・・・携帯端末装置（携帯電話機）、１０１・・・開閉機構部（連結部）、１０２・・・表示側筐体（受話筐体）、１０３・・・キー側筐体（送話筐体）、１１０・・・受電用電源端子部、１１１〜１１３・・・受電用電源端子、１１０１・・・第１の受電用電源端子、１１０２・・・第２の受電用電源端子、１１４・・・第１の受電用電源端子の弾性体のイメージ(バネ)、１１５・・・第２の受電用電源端子の弾性体のイメージ(バネ)。
【図１】
2008085739.tif 000003
【図２】
2008085739.tif 000004
【図３】
2008085739.tif 000005
【図４】
2008085739.tif 000006
【図５】
2008085739.tif 000007
【図６】
2008085739.tif 000008
【図７】
2008085739.tif 000009
【図８】
2008085739.tif 000010
【図９】
2008085739.tif 000011
【図１０】
2008085739.tif 000012
【図１１】
2008085739.tif 000013